(57)【要約】【課題】　マイナスイオンを利用して効果的な髪のケアが行える髪ケア装置を提供する。【解決手段】　髪を加熱するためのヒータ１２３を備えた加熱板１１５を有すると共に可動支点部１１６により可動する可動板１１７を有し、髪を加熱挟持して整髪する髪ケア装置である。放電でマイナスイオンを発生するマイナスイオン発生装置を具備する。マイナスイオン発生装置で発生したマイナスイオンを上記加熱挟持した髪に向けて放出するイオン放出口を、髪を加熱挟持する挟持面に設ける。このイオン放出口の近傍で且つイオン放出口に臨む位置にマイナスイオン発生装置のイオン電極を配設する。【選択図】　　　　図１
2004041759.tif 000002
【特許請求の範囲】
【請求項１】
髪を加熱するためのヒータを備えた加熱板を有すると共に可動支点部により可動する可動板を有し、髪を加熱挟持して整髪する髪ケア装置であって、放電でマイナスイオンを発生するマイナスイオン発生装置を具備し、マイナスイオン発生装置で発生したマイナスイオンを上記加熱挟持した髪に向けて放出するイオン放出口を、髪を加熱挟持する挟持面に設け、このイオン放出口の近傍で且つイオン放出口に臨む位置にマイナスイオン発生装置のイオン電極を配設したことを特徴とする髪ケア装置。
【請求項２】
髪を加熱して整髪するときにマイナスイオンを放出する状態と髪の加熱と関係なくマイナスイオンを放出する状態とに切り替えることができる切り替え手段を設けたことを特徴とする請求項１記載の髪ケア装置。　
【発明の詳細な説明】
【技術分野】
【０００１】
　本発明は、髪ケア装置に関し、詳しくはマイナスイオンを髪表面に放出して髪の手入れ効果に加えて、髪のケア後の感触をより好ましくする技術に関するものである。
【背景技術】
【０００２】
　従来の髪ケア装置の一例としてのトリートメント器具Ｂは例えば図３に示すように構成されている。これはブリスル１０面にマイナスイオンを放出するイオン放出口１１を配設してあり、イオン放出口１１にはイオンノズル１２が設置されている。イオンノズル１２には高圧リード線１４を接続したイオン電極１３を内蔵しており、高圧リード線１４はイオン発生回路１５に接続されている。制御回路１６にはイオン発生回路１５と、イオンのオン／オフの切り替えスイッチ１７と電源供給用の電源コード１８が接続されている。そしてブリスル１０で髪を梳いたりして髪の手入れをするときイオン放出口１１から髪にマイナスイオンを放出するようになっている。
【０００３】
　また従来の髪ケア装置の一例としてのドライヤーＣは例えば図４に示すように構成されている。これは吸い込み口１９と吐出口２０を備え、把手部と併用した円筒状の風洞２１内に送風用ファン２２とモータ２３と整流翼２４とヒータ２５を内蔵している。吐出口２０を有するブリスル２６面にはマイナスイオンを放出するイオン放出口２７を配設してあり、イオン放出口２７にはイオンノズル２８が設置されている。イオンノズル２８には高圧リード線２９を接続したイオン電極３０を内装しており、高圧リード線２９はイオン発生回路３１に接続されている。送風及びイオンのオン／オフ切り替えスイッチ３２にはイオン発生回路３１とモータ２３とヒータ２５と電源供給用の電源コード３３が接続されている。そしてブリスル２６で髪を梳きながら吐出口２０から温風等を吹き出して髪の乾燥をするときイオン放出口２７からイオンを放出するようになっている。　　　　
【発明の開示】
【発明が解決しようとする課題】
【０００４】
　ところが、髪を加熱して髪をケアするのものでマイナスイオンを併用したものがない。また従来例の髪ケア装置としてトリートメント器具ＢやドライヤーＣにあってはマイナスイオンを単独または空気と併用して放出するようになっているが、マイナスイオンの放出とスチームの放出を併用して髪をケアするようになっていない。このためマイナスイオンとスチームとを髪に付着させて保湿したりできなくて髪のケアが十分なものでなかった。
【０００５】
　本発明は叙述の点に鑑みてなされたものであって、マイナスイオンを利用して効果的な髪のケアが行える髪ケア装置を提供することを課題とするものである。
【課題を解決するための手段】
【０００６】
　上記課題を解決するため本発明の請求項１の髪ケア装置は、髪を加熱するためのヒータを備えた加熱板を有すると共に可動支点部により可動する可動板を有し、髪を加熱挟持して整髪する髪ケア装置であって、放電でマイナスイオンを発生するマイナスイオン発生装置を具備し、マイナスイオン発生装置で発生したマイナスイオンを上記加熱挟持した髪に向けて放出するイオン放出口を、髪を加熱挟持する挟持面に設け、このイオン放出口の近傍で且つイオン放出口に臨む位置にマイナスイオン発生装置のイオン電極を配設したことを特徴とする。髪を加熱挟持することで髪を整髪するとき、マイナスイオンの放出によって髪の保湿性、手触り感が向上し、髪ケア後の感触がより好ましくなる。
【０００７】
　また本発明の請求項２の髪ケア装置は、請求項１において、髪を加熱して整髪するときにマイナスイオンを放出する状態と髪の加熱と関係なくマイナスイオンを放出する状態とに切り替えることができる切り替え手段を設けたことを特徴とする。髪を加熱して整髪するときにマイナスイオンを放出する状態と髪を加熱しないときもマイナスイオンを放出する状態とに切り替えて使用できる。
【発明の効果】
【０００８】
　本発明の請求項１の発明は、髪を加熱するためのヒータを備えた加熱板を有すると共に可動支点部により可動する可動板を有し、髪を加熱挟持して整髪する髪ケア装置であって、放電でマイナスイオンを発生するマイナスイオン発生装置を具備し、マイナスイオン発生装置で発生したマイナスイオンを上記加熱挟持した髪に向けて放出するイオン放出口を、髪を加熱挟持する挟持面に設け、このイオン放出口の近傍で且つイオン放出口に臨む位置にマイナスイオン発生装置のイオン電極を配設したので、髪を加熱挟持することで髪を整髪するとき、マイナスイオンの放出によって髪の保湿性、手触り感が向上し、髪ケア後の感触がより好ましくなるものである。
【０００９】
　また本発明の請求項２の発明は、請求項１において、髪を加熱して整髪するときにマイナスイオンを放出する状態と髪の加熱と関係なくマイナスイオンを放出する状態とに切り替えることができる切り替え手段を設けたので、髪を加熱して整髪するときにマイナスイオンを放出する状態と髪を加熱しないときもマイナスイオンを放出する状態とに切り替えて使用できるものである。
【発明を実施するための最良の形態】
【００１０】
　本発明の髪ケア装置ではマイナスイオンを発生させてこのマイナスイオンを髪に放出するものであるが、このマイナスイオンを発生するマイナスイオン発生装置の機構は次のようになっている。
【００１１】
　図２はコロナ放電を利用した放電式マイナスイオン発生機構の簡略図を示す。グランドに接続した対向板３４（例えば、ＳＵＳ３０４）を設け、これに対し高圧を維持する針状イオン電極３５をマイナスイオンの発生量が最大となる距離ｘとして設置したものである。より多くのマイナスイオンを発生させるには対向板３４は実験上半円筒形状が好ましい結果を得たが、必ずしも半円筒形状としなくてもよい。
【００１２】
　本発明の髪ケア装置は上記マイナスイオン発生装置で発生したマイナスイオンを放出するようにしたものであり、図１は髪ケア装置の一例を示し、髪の加熱挟持機構とスチーム放出部とマイナスイオン放出部を備えたヘアーアイロンである。ヒータ１２３を備えた加熱板１１５と、可動支点部１１６により可動する可動板１１７と、スチーム放出口１４５と、イオン放出口１１８で主体を構成したものである。髪は加熱板１１５と可動板１１７との間に挟んで使用するようになっている。イオン放出口１１８にイオンノズル１１９を接続してあり、イオンノズル１１９に内蔵されたイオン電極１２０に接続される高圧リード線１２１はイオン発生回路１２２に接続されている。イオン電極１２０やイオン発生回路１２２からなるマイナスイオン発生装置で発生したマイナスイオンはイオン放出口１１８から放出されるようになっている。スチーム放出口１４５はヒータ１２３を備えた気化室１４６とつながっている。ヒータ１２３への水の供給は着脱自在なタンク１４７内の水をフェルト１４８によって毛細管で給水することで行うようになっている。制御回路１２４にはヒータ１２３とイオン発生回路１２２とマイナスイオンのオン／オフの切り替えスイッチ１２５と電源供給用の電源コード１２６が接続されている。かかる切り替えスイッチ１２５の切り替えにてヒータ１２３への通電をオンした状態でマイナスイオンの発生をオンしたり、ヒータ１２３への通電をオフした状態でマイナスイオンの発生をオンしたりする切り替えができるようになっている。
【００１３】
　このヘアーアイロンは、ヒータ１２３に通電して加熱板１１５を加熱し、加熱板１１５と可動板１１７との間に髪を挟持して整髪する。このときスチーム発生装置の気化室１４６で発生したスチームをスチーム放出口１４５から髪の加熱挟持面に放出すると共にマイナスイオン発生装置で発生したマイナスイオンをイオン放出口１１８から髪の加熱挟持面に放出する。このようにすることで、髪を加熱することで髪から放出される水分をスチーム加湿で補い、さらにマイナスイオンの放出によって髪の保湿性、手触り感が向上し、髪ケア後の感触がより好ましくなる。
【図面の簡単な説明】
【００１４】
【図１】本発明の髪ケア装置の一例の断面図である。
【図２】マイナスイオン発生装置の構造を示し、（ａ）は概略原理図、（ｂ）は要部拡大図である。
【図３】従来例のトリートメント器具の断面図である。
【図４】従来例のドライヤーの断面図である。
【符号の説明】
【００１５】
　１１５　加熱板
　１１６　可動支点部
　１１７　可動板
　１１８　イオン放出口
　１２０　イオン電極　
　１２３　ヒータ
　１２５　切り替えスイッチ
【図１】
2004041759.tif 000003
【図２】
2004041759.tif 000004
【図３】
2004041759.tif 000005
【図４】
2004041759.tif 000006